(57)【要約】【課題】水際に設置され、躯体内に堤外水を導入して可動壁をこれに浮力を与えて躯体より上方へ突出させる可動壁式堤体において、高潮、津波などの来襲時に確実に堤内への浸水を阻止することができる可動壁式堤体を提供すること。【解決手段】水際に設置される可動壁式堤体において、箱状をなし、かつ、上部にスリット状開口部２が設けられるとともに、堤外の側の側壁部１ａに堤外水の平常時水位よりも下方に位置して平常時は閉じられている取水孔３が設けられた躯体１と、躯体１内に収納され、中空体５ａに壁体５ｂを立設してなる可動壁５とを備え、堤外水の異常水位上昇の危険が予測されたとき取水孔３を開き、該取水孔３から堤外水を躯体１内に導入して可動壁５に浮力を与えて該可動壁５を上昇させ、前記開口部２から壁体５ｂを起立姿勢にて突出させることを特徴とする可動壁式堤体である。【選択図】図１
2007126945.tif 000002
【特許請求の範囲】
【請求項１】
水際に設置される可動壁式堤体において、箱状をなし、かつ、上部にスリット状開口部が設けられるとともに、堤外の側の側壁部に堤外水の平常時水位よりも下方に位置して平常時は閉じられている取水孔が設けられた躯体と、前記躯体内に収納され、中空体に壁体を立設してなる可動壁とを備え、堤外水の異常水位上昇の危険が予測されたとき前記取水孔を開き、該取水孔から堤外水を前記躯体内に導入して前記可動壁に浮力を与えて該可動壁を上昇させ、前記スリット状開口部から前記壁体を起立姿勢にて突出させることを特徴とする可動壁式堤体。
【請求項２】
請求項１記載の可動壁式堤体において、前記躯体の内面に、前記可動壁が浮力が与えられて上昇する際に前記中空体の外周面に接して回転する複数のコロ体が設けられていることを特徴とする可動壁式堤体。
【発明の詳細な説明】
【技術分野】
【０００１】
本発明は、海岸、港湾などの水際に設置される堤防、護岸又は防潮堤を構成する可動壁式堤体に関し、高潮、津波などによる堤内への浸水を阻止するために、躯体内に堤外水を導入して可動壁をこれに浮力を与えて躯体より上方へ突出させるようにした可動壁式堤体に関するものである。
【背景技術】
【０００２】
従来、この種の堤体として特開平８−２８４１３９号公報に示されているものがあり、これを図４と図５を用いて説明する。図４は従来の堤体の平常時の状態を示す概略断面図、図５は図４の堤体の水位上昇時の状態を示す概略断面図である。
【０００３】
図４に示すように、堤体５１は河川等の水際に設置された堤防に築造され、堤体５１の躯体５３の内腔には、浮力を有する可動壁５２が内設されている。この躯体５３は上面にスリット開口部５４を有する長尺のボックス５３ａで構成され、ボックス５３ａの堤外の側の側面に複数個の導水孔５５を設けてある。６１は平常時水面である。そして、洪水や高潮などによる堤体水位の上昇に伴って堤体水が導水孔５５から躯体５３内に流入し、図５に示すように、可動壁５２の浮体５２ｂ上の壁体５２ａは、ボックス５３ａ上面のスリット開口部５４を通して堤体上に突出し、壁体基部５２ｃが躯体５３の天板５３ｃに圧接した状態を保持して、堤外の上昇水の越流を阻止するようにしている。６２は洪水時水面である。この堤体５１は、躯体５３内に堤外水を導入して可動壁５２をこれに浮力を与えて上昇させるようにしたものであるから、複雑な機械装置や動力を使用していないので、機械故障や停電の影響を受けず、作動の信頼性が高いという利点がある。
【特許文献１】特開平８−２８４１３９号公報（第２−３頁、図１及び図２）
【発明の開示】
【発明が解決しようとする課題】
【０００４】
しかしながら、前述した従来の堤体５１では、導水孔５５が堤外水の平常時水位６１よりも上方に位置する構造のものであるから、高潮、津波による堤外水の水位上昇がかなり急激であるため、導水孔５５から導入される堤外水による可動壁５２の上昇が前記水位上昇に追いつかず、堤内への浸水を引き起こすおそれがあった。
【０００５】
そこで本発明の課題は、水際に設置され、躯体内に堤外水を導入して可動壁をこれに浮力を与えて躯体より上方へ突出させる可動壁式堤体において、高潮、津波などの来襲による堤外水の異常水位上昇の危険が予測されたときに堤外の堤外水を平常時水位の状態から利用可能とすることで、堤外の水面が急激に上昇する前に十分な高さにまで可動壁を突出させて、高潮、津波などの来襲時に確実に堤内への浸水を阻止することができる可動壁式堤体を提供することにある。
【課題を解決するための手段】
【０００６】
前記の課題を解決するため、本願発明では、次の技術的手段を講じている。
【０００７】
請求項１の発明は、水際に設置される可動壁式堤体において、箱状をなし、かつ、上部にスリット状開口部が設けられるとともに、堤外の側の側壁部に堤外水の平常時水位よりも下方に位置して平常時は閉じられている取水孔が設けられた躯体と、前記躯体内に収納され、中空体に壁体を立設してなる可動壁とを備え、堤外水の異常水位上昇の危険が予測されたとき前記取水孔を開き、該取水孔から堤外水を前記躯体内に導入して前記可動壁に浮力を与えて該可動壁を上昇させ、前記スリット状開口部から前記壁体を起立姿勢にて突出させることを特徴とする可動壁式堤体である。
【０００８】
請求項２の発明は、請求項１記載の可動壁式堤体において、前記躯体の内面に、前記可動壁が浮力が与えられて上昇する際に前記中空体の外周面に接して回転する複数のコロ体が設けられていることを特徴とするものである。
【発明の効果】
【０００９】
請求項１の可動壁式堤体は、箱状をなす躯体の堤外の側の側壁部に、堤外水の平常時水位よりも下方に位置して常時は閉じられている取水孔が設けられている。したがって、高潮、津波などの来襲の危険が予測されたとき、前記取水孔を開くことにより、従来とは違って、堤外の平常時水位の状態にある堤外水を該取水孔から躯体内に導入することで可動壁に浮力を与えて該可動壁を上昇させ、堤外の水面が急激に上昇する前に十分な高さにまで可動壁を躯体より上方へ突出させて、高潮、津波などの来襲時に確実に堤内への浸水を阻止することができる。
【００１０】
請求項２の可動壁式堤体では、前記の効果に加え、躯体内での浮力が与えられた可動壁の上昇をスムーズに行わせることができる。
【発明を実施するための最良の形態】
【００１１】
以下、図面を参照して本発明の実施形態について説明する。図１は本発明の一実施形態による可動壁式堤体の平常時の状態を示す一部破断斜視図である。
【００１２】
可動壁式堤体は、河川、海岸などの水際に通常、複数個が直列的に並べられて設置されている。そして、図１に示すように、可動壁式堤体の箱状をなす躯体１には、天井部に直線状に延びるスリット状開口部２が設けられるとともに、堤外の側の側壁部１ａに堤外水の平常時水位１０よりも下方に位置して平常時は閉じられている複数の取水孔３が設けられている。この躯体１内には、厚板状のおもり体４と、その上に可動壁５とが収納されている。可動壁５は、箱状中空体５ａの上面に長尺板状の壁体５ｂを起立姿勢にて立設して構成されており、平常時は、壁体５ｂの上端部を躯体１のスリット状開口部２に僅かの隙間を持たせて挿入した状態で、躯体１内に収納されている。
【００１３】
躯体１の側壁部１ａの前記複数の取水孔３は、躯体１の底部に設置された前記おもり体４に近い位置に設けられている。そして、これらの取水孔３に対して、それぞれ、ゲート板によって当該取水孔を開閉するための取水孔開閉装置６が設けられている。
【００１４】
また、躯体１の内側の面を形成する４つの内面それぞれの適宜の箇所には、棒状をなし水平軸にて回転自在に支持され、且つ、はしごのステップのように上下方向にわたって互いに所定の間隔を隔てて配列され、コロ外周面における躯体１内面の反対側が可動壁５の箱状中空体５ａの外周面に接する多数のコロ体７が設けられている。
【００１５】
ここで、躯体１は、例えば鉄筋コンクリート製であり、可動壁５を構成する箱状中空体５ａ及び壁体５ｂは、例えば、同じく鉄筋コンクリート製であり、おもり体４は、例えば鋼製である。
【００１６】
そして、当然ながら、おもり体４を備えた躯体１は、これに作用する浮力よりも重い重量にして、常時浮くことのないように設計されている。例えば、鉄筋コンクリート製の躯体１は、長さＬ＝１０ｍ，高さＨ＝１０ｍ，幅Ｗ＝３ｍ，厚みｔ＝０．３ｍとし、鋼製のおもり体４は、長さＬ＝９．４ｍ，高さＨ＝１ｍ，幅Ｗ＝２．４ｍとし、平常時水位ｈ１＝８ｍとする。躯体１の重量は、躯体１の体積約９１．３ｍ３×比重２．４５から、約２２４トンであり、おもり体４の重量は、９．４ｍ×１ｍ×２．４ｍ×比重７．８５から、１７７トンであり、おもり体４を備えた躯体１の重量は、約（１７７＋２２４）トンである。一方は、浮力は、８ｍ×３ｍ×１０ｍから、２４０トンであり、おもり体４を備えた躯体１は、常時浮くことのないように設計されている。また、この可動壁式堤体は、当然ながら、地震のとき、陸地地盤からの土圧を受けても滑動、転倒することのないようになされている。
【００１７】
図２は図１に示す可動壁式堤体の平常時水位時の堤外水を導入した状態を示す断面図、図３は図１に示す可動壁式堤体の水位異常上昇時の状態を示す断面図である。ただし、図２と図３では取水孔開閉装置６は図示省略してある。
【００１８】
前記のように構成される可動壁式堤体において、例えば高潮の来襲の危険が予測されたとき、取水孔開閉装置６により取水孔３を開くことにより、高潮の来襲に先立ち、図２に示すように、堤外の平常時水位１０の状態にある堤外水を取水孔３から躯体１内に導入することで可動壁５に浮力を与えて可動壁５を上昇させ、堤外の水面が急激に上昇する前に十分な高さにまで可動壁５の壁体５ｂを起立姿勢にて躯体１より上方へ突出させることができる。これにより、図３に示すように、高潮時水位１１となる高潮の来襲時には確実に堤内への浸水を阻止することができる。
【００１９】
また、躯体１の内面に設けられた各コロ体７の外周面における躯体１内面の反対側が箱状中空体５ａの外周面に接し、該コロ体７が回転する。このように、躯体１の内面に、可動壁５が浮力が与えられて上昇する際に可動壁５の箱状中空体５ａの外周面に対してコロ作用をなす複数のコロ体７が設けられているので、浮力が与えられた可動壁５の上昇をスムーズに行わせることができる。
【００２０】
そして、高潮が去った後の時間的余裕があるときに、図示しない適宜の水抜き手段により、躯体１内に貯まっている堤外水を外部に排出することで可動壁５を下降させて、図１に示す平常時の状態に復帰させるようにしている。
【００２１】
なお、図１に示す平常時の状態において可動壁５の壁体５ｂの上端部と躯体１のスリット状開口部２との隙間からの雨水などの漏水を防止するために、スリット状開口部２の周縁部に沿ってシール材を取り付けるようにすることがよい。
【図面の簡単な説明】
【００２２】
【図１】本発明の一実施形態による可動壁式堤体の平常時の状態を示す一部破断斜視図である。
【図２】図１に示す可動壁式堤体の平常時水位時の堤外水を導入した状態を示す断面図である。
【図３】図１に示す可動壁式堤体の水位異常上昇時の状態を示す断面図である。
【図４】従来の堤体の平常時の状態を示す断面図である。
【図５】図４の堤体の水位上昇時の状態を示す断面図である。
【符号の説明】
【００２３】
１…躯体
２…スリット状開口部
１ａ…側壁部
３…取水孔
４…おもり体
５…可動壁
５ａ…箱状中空体
５ｂ…壁体
６…取水孔開閉装置
７…コロ体
１０…平常時水位
１１…高潮時水位
【図１】
2007126945.tif 000003
【図２】
2007126945.tif 000004
【図３】
2007126945.tif 000005
【図４】
2007126945.tif 000006
【図５】
2007126945.tif 000007